(57)【要約】【課題】乗員室空調用の冷却装置に加えて別途設けた、荷室冷却用の冷却装置のコンデンサを、従来のように車両の床下に取り付ける構成とする場合には、両側スライドドアタイプのワンボックス型貨物車両の場合には取り付けスペースを確保できなくなる場合がある。本発明では、ベース車両に大きな変更を加えることなく、車両床下以外の部位にコンデンサを取り付けるための構造を提供する。【解決手段】ベース車両ではガラス板を嵌め付けてガラス窓として利用される右側壁１５の開口部１５ａにハウジング４２を取り付け、このハウジング４２内にコンデンサ４１を取り付けた構成とする。【選択図】        図３
2007253796.tif 000002
【特許請求の範囲】
【請求項１】
車両の側壁に外側に開口する凹部を設け、該凹部内に車室内を冷却する冷却装置のコンデンサを取り付けた車両のコンデンサ取り付け構造。
【請求項２】
請求項１記載の車両のコンデンサ取り付け構造であって、前記側壁に開口部を設け、該開口部に前記凹部を有するハウジングを取り付けた車両のコンデンサ取り付け構造。
【請求項３】
請求項２記載の車両のコンデンサ取り付け構造であって、前記開口部が形成された側壁が前記コンデンサを備えない車両の側壁と共通の構造であり、前記コンデンサを備えない車両においては、前記開口部が窓として利用されている車両のコンデンサ取り付け構造。
【請求項４】
請求項２記載の車両のコンデンサ取り付け構造であって、外気吸い込み口と吹き出し口を有し前記凹部を覆うカバーを前記ハウジングに取り付けた車両のコンデンサ取り付け構造。
【請求項５】
請求項１記載の車両のコンデンサ取り付け構造であって、前記車両が、その荷室内を冷却する第１冷却装置と、乗員室内を冷却する第２冷却装置とを備えており、前記第１冷却装置のコンデンサがエンジンルーム内に配置され、前記第２冷却装置のコンデンサが前記凹部内に取り付けられている車両のコンデンサ取り付け構造。
【請求項６】
請求項２記載の車両のコンデンサ取り付け構造であって、前記開口部の縁部に沿って補強フレームを取り付け、前記ハウジング内に設けた支持フレームを該補強フレームに支持し、該支持フレームに前記コンデンサを支持した車両のコンデンサ取り付け構造。
【発明の詳細な説明】
【技術分野】
【０００１】
本発明は、例えば冷蔵室や冷凍室を備えた貨物車両において、冷蔵室等に冷気を供給するための冷却装置、あるいは乗員室の空調を行うための空調装置のコンデンサ（凝縮器）を取り付けるための構造に関する。
【背景技術】
【０００２】
近年広く普及しているワンボックスタイプの貨物車両には、荷室に常温用の貨物室（ドライ室）に加えて生鮮野菜等の搬送に欠かせない冷蔵室あるいは鮮魚の搬送に欠かせない冷凍室を備えたもの（３室３温配送車）が提供されている。これらドライ室、冷蔵室及び冷凍室の３室を後部荷室の限られたスペースに効率よく区画配置して様々な種類の貨物の荷積み作業及び荷下ろし作業の効率化を図る工夫がなされている。
冷蔵室若しくは冷凍室に冷気を供給するための冷却装置（荷室冷却装置）についても同様で、これを構成する概ね平板形状のコンデンサの配置場所について荷室スペースを犠牲にしない工夫がなされている。従来、荷室冷却装置のコンデンサは、車両の床下に沿って配置されることが多かった。
【０００３】
ここで、上記の荷室冷却装置とは別に、通常貨物車に限らず車両には乗員室の空調を行うための空調装置が備えられている。以下、乗員室空調用の冷却装置を第２冷却装置といい、前記荷室冷却用の冷却装置を第１冷却装置と称して区別する。
この第１及び第２冷却装置は同様の基本的構成を備えている。一般に、乗員室空調用の第２冷却装置のコンデンサやコンプレッサ等は、ワンボックス型車両の場合運転席下部若しくは車両前部のエンジンルーム内に配置されることが多い。また、ワンボックス型車両の場合には、車両前部の乗員室と後部の荷室を仕切ることなく車室内全体を一つの空間部として使用する使用形態（乗用型ワンボックス車両に多い）を想定して比較的大型のコンデンサが装備されている。このため乗員室と荷室をほぼ気密に仕切って貨物車両として使用する場合には、上記乗員室空調用の第２冷却装置のコンデンサは必要以上に冷却能力の高い大型のコンデンサとなるため、これを荷室冷却用の第１冷却装置のコンデンサとして転用し、別途追加した小型のコンデンサを第２冷却装置用のコンデンサとして用いることが行われている。従来この別途追加した小型のコンデンサを車両床下に沿って配置することが行われていた。
このように、従来荷室冷却用の第１冷却装置のコンデンサ若しくは乗員室空調用の第２冷却装置のコンデンサ（通常車両前部のエンジンルーム内に配置されるコンデンサとは別の二つ目のコンデンサ）は、車両の床下に沿って配置されていた。
【特許文献１】特開２００２−１３７６８０公報
【発明の開示】
【発明が解決しようとする課題】
【０００４】
しかしながら、これも近年多く見られる車両の両側にスライドドアを備えたワンボックス型の貨物車両の場合には、両スライドドアに対応して車両フロアの左右両側にフロアより一段低いステップ部を設定する必要がある関係から、上記従来のように床下にコンデンサを配置するための十分なスペースを確保できない場合があり、コンデンサの小型化には限界があることから、この場合には車両床下以外の適切な部位に二つ目のコンデンサを配置する必要があった。
また、近年エンジンの高出力化等により車両の床下付近での発熱量が多くなってきており、コンデンサの性能を十分に確保する観点からもこれを車両床下以外の部位に配置することが望ましい。
本発明は、この問題を解消するためになされたもので、例えば両側スライドドアタイプの貨物車両であって床下のコンデンサを配置するための十分なスペースを確保できない車両においても、荷室スペースを犠牲にすることなく荷室冷却用の第１冷却装置若しくは乗員室空調用の第３冷却装置のコンデンサを取り付けることができる構造を提供することを目的とする。
【課題を解決するための手段】
【０００５】
そこで、本発明は特許請求の範囲の各請求項に記載した構成の取り付け構造とした。
請求項１記載の取り付け構造によれば、コンデンサは車両側壁に取り付けられることから、車両床下に十分な取り付けスペースを確保できない場合に対応することができる。また、車両の側壁に取り付けられることから荷室スペースを犠牲にすることがない。
さらに、コンデンサが外側に開口する凹部内に取り付けられる構成であるので、当該コンデンサの放熱効率を高めることができ、ひいては車室内の冷却効率を高めることができる。この明細書では、車室とは、車両室内空間の全体、車両室内空間の前部と後部を仕切って前部を乗員室とし、後部を荷室とする場合における乗員室若しくは荷室のいずれをもいうものとする。
請求項２記載の取り付け構造によれば、ハウジング内にコンデンサを取り付ける構成であるので、ハウジング及びコンデンサをユニット化して開口部への組み付け時等におけるその取り扱い性を高めることができる。
請求項３記載の取り付け構造によれば、車両側壁の開口部に例えばガラス板を嵌め付けて窓部とする通常仕様のベース車両と、この開口部に窓ガラスに代えてコンデンサを取り付ける特殊仕様の特装車両とにおいて、車両側壁（車両ボディ）を共通部品化することができる。このことから、ベース車両の車両ボディを板金加工等の大きな変更を加えることなくそのまま利用して請求項３記載の取り付け構造を適用することができ、従って大きなコストアップを招くことなく当該取り付け構造を実施することができる。
請求項４記載の取り付け構造によれば、ハウジングとコンデンサとカバーをアッセンブリ化して、その取り付け作業時等における取り扱い性をよくすることができる。
請求項５記載の取り付け構造によれば、冷却する容積に見合ったサイズのコンデンサを用いることができる。すなわち、車両前部の乗員室と車両後部の荷室を仕切ってそれぞれ別の冷却装置により冷却（空調）する場合に、通常エンジンルームに配置される大型のコンデンサを荷室冷却用に転用し、車両側壁の凹部に取り付けた小型のコンデンサを仕切られてより小さな冷却能力で足りる乗員室の空調に使用することができ、これにより乗員室よりも広い荷室の冷却を効率よく行うことができる。
請求項６記載の取り付け構造によれば、車両の開口部に取り付けた補強フレームに支持フレームが支持され、この支持フレームにコンデンサが取り付けられることから、当該コンデンサの重量はハウジングではなく、補強フレームを経て車両側壁（車両ボディ）で受けられる。このため、ハウジングの軽量、コンパクト化を図ることができる。
【発明を実施するための最良の形態】
【０００６】
次に、本発明の実施形態を図１〜図６に基づいて説明する。図１及び図２は、本実施形態に係るコンデンサの取り付け構造を適用した車両１を示している。この車両１は、いわゆるワンボックス型の貨物車両で、その左右側部にスライドドア２，３を備えている。また、この車両１の後面にはバックドア４が設けられている。
この車両１の車室は、仕切壁５によって前部の乗員室６と後部の荷室７に仕切られている。乗員室６には運転席６ａと助手席６ｂが配置されている。
荷室７は、常温のドライ室８と、約−５℃まで冷却される冷蔵室９と、約−２０℃まで冷却される冷凍室１０に区画されている。冷蔵室９と冷凍室１０は、車両右側のスライドドア３から荷物を搬出入可能に設けられている。すなわち、荷室７の前部右側（運転席後方）の約四分の一を占める範囲は、区画壁１１，１２によりほぼ気密に区画され、さらにその内部が区画壁１３により上下２段に区画されている。区画壁１３の上側が上記冷蔵室９に設定され、下側が上記冷凍室１０に設定されている。上側の冷蔵室９と下側の冷凍室１０は、右スライドドア３を開けることにより車室外に開放され、これにより冷蔵室９と冷凍室１０に対して荷物の搬出入を行うことができる。
左側のスライドドア２若しくはバックドア４を開けることにより、ドライ室８に対して荷物の搬出入を行うことができる。
次に、車両１には、荷室７の冷蔵室９及び冷凍室１０に冷気を供給するための第１冷却装置２０と、乗員室６の空調を行うための第２冷却装置４０を備えている。これら両冷却装置２０，４０の基本的構成は従来公知のもので、それぞれエバポレータ（蒸発器）で冷媒を蒸発させることにより冷気を発生させ、この冷気を乗員室６若しくは荷室７内に吹き出して冷却する一方、蒸発した冷媒はコンプレッサ（圧縮機）で圧縮した後、コンデンサ（凝縮器）で凝縮することにより再び液体に戻して循環させる構成を備えている。以下説明する本実施形態では、上記コンデンサの取り付け構造に特徴を有している。従って、両冷却装置２０，４０を構成する各機器の詳細な構成及び機能の説明は省略し、主に両冷却装置２０，４０のコンデンサ２１，４１の取り付け構造について説明する。両コンデンサ２１，４１自体は、従来と同様冷却用の波形フィンが組み込まれた概ね平板形状を有しており、本実施形態において特に変更を要しない。
【０００７】
本実施形態では、図３に示すように荷室冷却用の第１冷却装置２０のコンデンサ２１が乗員室６の室外の車両前方に配置され、乗員室冷却用の第２冷却装置４０のコンデンサが、従来のように床下ではなく右側壁１５に取り付けられている。車両前方に配置されたコンデンサ２１は、ベース車両では本来乗員室空調用として装備された大型のコンデンサを本実施形態では荷室冷却用として転用したもので、これに代えて乗員室空調用としてより小型のコンデンサ４１が車両１の右側壁１５に取り付けられている。
車両１の右側壁１５には上記右スライドドア３が設けられており、この右スライドドア３の後側には、矩形の開口部１５ａが設けられている。また、車両１の左側壁１６には、上記左スライドドア２が設けられており、この左スライドドア２の後側にも、矩形の開口部１６ａが設けられている。両開口部１５ａ，１６ａは車幅方向にほぼ対向して設けられている。
また、この両開口部１５ａ，１６ａは、荷室フロア１７の左右に位置するホイールハウス１７ａ，１７ｂの上方に位置している。左側の開口部１６ａには、ガラス板が通常のシール構造によって嵌め付けられてガラス窓とされている。右側の開口部１５ａについても左側と同様通常のシール構造により窓ガラスを嵌め付けることができるが、本実施形態ではこの開口部１５ａには窓ガラスに代えて第２冷却装置４０のコンデンサ４１が取り付けられている。このコンデンサ４１には、仕切壁５で仕切られた乗員室６の空調を行うに足りるサイズの比較的小型のものが用いられている。
【０００８】
このコンデンサ４１の取り付け構造の詳細が図３〜図６に示されている。このコンデンサ４１は、ハウジング４２を介して開口部１５ａに取り付けられている。ハウジング４２は、鋼板をプレス成形して製作したもので、コンデンサ４１を完全に収容可能な大きさと深さの凹部４２ａを備えている。この凹部４２ａのほぼ半分程度のスペースにコンデンサ４１が収容されている。凹部４２ａの周囲には、開口部１５ａの周縁に沿って当接される取り付け縁部４２ｂが側方へ張り出すように設けられている。凹部４２ａの底部４２ｃには、４カ所の台座部４２ｄ〜４２ｄが設けられている。この４カ所の台座部４２ｄ〜４２ｄにコンデンサ４１の四隅を固定することにより、当該コンデンサ４１が底部４２ｃに沿って、かつ底部４２ｃとの間に一定寸法の隙間をおいた状態で支持されている。
また、開口部１５ａの上部及び下部には、補強フレーム３１，３２が当該開口部１５ａの上部及び下部に沿って車室内側に取り付けられている。この上下の補強フレーム３１，３２によって開口部１５ａの上部及び下部が補強されることによりハウジング４２が開口部１５ａに対して強固に支持されている。
コンデンサ４１の表面側（室外側）には冷却用の電動ファン４６が取り付けられている。この電動ファン４６は、従来公知の制御手段によりコンデンサ４１の設定温度を基準にして起動、停止される。電動ファン４６がコンデンサ４１の表面側に取り付けられていることによりそのメンテナンス作業等を楽に行うことができるようになっている。
凹部４２ａの側壁部４２ｅには、コンデンサ４１に接続される冷媒流入用のパイプ４７と冷媒流出用のパイプ４８を挿通するための二つの孔４２ｆ，４２ｇが設けられている。
【０００９】
ハウジング４２は、その凹部４２ａを車外側に開放する向きで開口部１５ａを塞ぐ状態に取り付けられている。ハウジング４２の取り付け縁部４２ｂと開口部１５ａの周縁との間にはシール材４３が全周にわたって塗布されている。このようにハウジング４２が、左側の開口部１６ａに対する窓ガラスと同様のシール手段（シール材４３）により取り付けられることにより、当該ハウジング４２の取り付け部のシール性が確保されている。
ハウジング４２の凹部４２ａはカバー４５で塞がれている。図４に示すようにこのカバー４５にはそれぞれ編み目の吸い込み口４５ａと吹き出し口４５ｂが設けられている。吹き出し口４５ｂの内側にコンデンサ４１及び電動ファン４６が位置している。電動ファン４６が起動すると、図４及び図６において白抜きの矢印で示すようにハウジング４２の内部と外部との間の風の流れが発生する。吸い込み口４５ａを経て外部から取り込まれた外気がコンデンサ４１に吹き付けられて当該コンデンサ４１が冷却される。コンデンサ４１に吹き付けられた外気は吹き出し口４５ｂを経てハウジング４２の外部に吹き出される。
また、図５に示すようにカバー４５の吸い込み口４５ａあるいは吹き出し口４５ｂを経てハウジング４２内に降り込んだ雨水Ｗ等は、そのまま当該ハウジング４２の下部から流れ出て貯まらないようになっている。
カバー４５は、車両１の右側壁１５の外面に対してほぼ面一状態に取り付けられている。従って、コンデンサ４１は車両幅方向へはみ出さない状態に取り付けられている。
以上説明したように乗員室空調用の第２冷却装置４０のコンデンサ４１が車両１の右側壁１５に取り付けられ、荷室冷却用の第１冷却装置２０のコンデンサ２１が車両１の前部に配置されている。図３に示すように両冷却装置２０，４０のコンプレッサ２９，４９はそれぞれ車両前部のエンジンルーム内の適所に配置されている。
車両前部に設置した大型のコンデンサ２１は第１冷却装置２０のコンプレッサ２９、エバポレータ（図示省略）等その他の機器にパイプ２７，２８を経て接続されている。この第１冷却装置２０により発生する冷気は、冷凍室１０内に設置したクーリングユニット１９を経て当該冷凍室１０及び冷蔵室９内に吹き出される。
また、第２冷却装置４０の小型のコンデンサ４１はコンプレッサ４９、エバポレータ等その他の機器にパイプ４７，４８を経て接続されている。この第２冷却装置４０により発生する冷気は、乗員室６内に吹き出される。乗員室６内への冷気の吹き出し口は図示省略されている。
【００１０】
以上のように構成したコンデンサ４１の取り付け構造によれば、当該コンデンサ４１は車両１の右側壁１５に取り付けられており、従来のように車両床下（荷室フロア１７）に取り付ける構成ではないので、例えば荷室７の左右両側にスライドドア２，３が配置され、これに対応して荷室フロア１７の左右両側に一段低いステップ部が配置され、その結果荷室フロア１７の床下にコンデンサを配置するための十分なスペースを確保することができない場合であっても当該コンデンサ４１を取り付けることができる。このことから、本実施形態に係る取り付け構造によれば、コンデンサの取り付け位置に関していわゆる両側スライドドアタイプの貨物車両にも容易に対応することができる。
また、第２冷却装置４０のコンデンサ４１は、エギゾーストパイプやフューエルクーラー等の他の熱源が存在する車両床下に取り付ける構成ではなく、大きな熱源の存在しない右側壁１５に取り付ける構成であるので、当該コンデンサ４１の性能を確保しやすくなる。
さらに、第２冷却装置４０のコンデンサ４１は、荷室７の側部であってホイールハウス１７ｂの上方の半デッドスペースに取り付けられているので、荷室７の荷室スペース（荷室フロア１７の積載面積）が大きく損なわれることはない。
また、例示した取り付け構造によれば、ハウジング４２にコンデンサ４１を収容して当該ハウジング４２の開口側をカバー４５で塞ぐことから、これらを一つのアッセンブリ（コンデンサユニット）として取り扱うことができる。これらを別行程で組み立てて一つのアッセンブリにした状態で開口部１５ａに対して組み付けることにより、これらの組み付け性を高めることができる。
さらに、車両前部に設置した一つのコンデンサ２１のみで足りる場合であって第２冷却装置４０のコンデンサ４１を取り付ける必要がない場合には、開口部１５ａにガラス板を嵌め付けることにより、通常の窓部として利用することができる。このことから、通常は開口部１５ａにガラス板を嵌め付けて窓部とする仕様の車両（ベース車両）に対してボディ形状の変更等の大きな変更を加えることなく当該開口部１５ａにコンデンサ４１を取り付けることができるので、大きなコストアップを招くことなく当該取り付け構造を実施することができる。
また、カバー４５が右側壁１５とほぼ面一に取り付けられて、当該コンデンサユニットが車両１の幅方向にはみ出さない状態に取り付けられていることから、車両寸法を変更することがなく、これにより例えばベース車両と同じ小型車枠内に納めることができる。
また、従来のようにコンデンサを車両床下に取り付ける際に必要となる床下配管が不要になるので、その配管作業が楽になる。
【００１１】
以上説明した実施形態には、種々変更を加えることができる。例えば、ハウジング４２は鋼板のプレス成型品とする構成を例示したが、樹脂の一体成形品としてもよい。これによりハウジング４２の軽量、コンパクト化を図ることができる。
また、例えば、図７には、第２実施形態の取り付け構造に係る第２冷却装置５０が示されている。第２冷却装置５０は、車両１の右側壁１５の開口部１５ａ（図７では省略されている）に対する主としてコンデンサ５０の取り付け構造が第１実施形態とは異なっている。第１実施形態と同様の点については説明を省略する。
第２実施形態に係るハウジング５２は前記第１実施形態に係るハウジング４２と同様鋼板をプレス成形して製作したもので、コンデンサ５１を完全に収納可能な大きさと深さを有している。このハウジング５２が車両右側壁１５の開口部１５ａを塞ぐ状態で取り付けられている。このハウジング５２の側部には、第１実施形態と同様冷媒流入用のパイプ４７と冷媒流出用のパイプ４８を挿通するための二つの孔５２ａ，５２ｂが設けられている
開口部１５ａの上部及び下部には、補強フレーム５３，５４が当該開口部１５ａの上部及び下部に沿って車室内側に固定されている。この上下の補強フレーム５３，５４により開口部１５ａの上部及び下部の支持剛性が確保されている。一方、ハウジング５２の内部に位置する支持フレーム５５の上部及び下部は、当該ハウジング５２の上側壁部及び下側壁部をそれぞれ間に挟み込んだ状態で上記補強フレーム５３，５４に対してボルトにより固定されている。これにより支持フレーム５５が開口部１５ａに対して強固に支持されている。第２実施形態ではこの支持フレーム５５にコンデンサ５１が固定されている。コンデンサ５１はこの支持フレーム５５を介して開口部１５ａに強固に支持されている。すなわち、コンデンサ５１及び以下の電動ファン６０等の重量は、ハウジング５２ではなく支持フレーム５５及び補強フレーム５３，５４によって受けられる。
コンデンサ５１の車室外側には第１実施形態と同様冷却用の電動ファン６０が取り付けられている。
【００１２】
また、ハウジング５２の開口側にはカバー６２が取り付けられる。このカバー６２には、前記第１実施形態における編み目の吸い込み口４５ａ及び吹き出し口４５ｂに代えて、二つの矩形の孔６２ａ，６２ｂが設けられており、両孔６２ａ，６３ａには、それぞれ下向きに傾斜した多数のフィンを主体とする冷気吸い込み用のルーバー６３と冷気吹き出し用のルーバー６４が嵌め込まれている。両ルーバー６３，６４は、カバー６２若しくはハウジング５２ではなく、それぞれ上記した補強フレーム５３，５４に対して直接かつ強固に支持されている。冷気吹き出し用の内側に電動ファン６０及びコンデンサ５１が位置している。
第１実施形態と同様、電動ファン６０が起動すると、冷気吸い込み用のルーバー６３を経て外気がハウジング５２内に導入される。導入された冷気はコンデンサ５０を冷却した後、吹き出し用のルーバー６４を経て外部へ吹き出される。
以上のように構成した第２実施形態のコンデンサ取り付け構造によっても、コンデンサ５１が車両１の右側壁１５に取り付けられることから、当該車両１が両側スライドドアタイプの貨物車両で床下に十分な設置スペースを確保することができない場合に容易に対応することができる。
特に、第２実施形態の取り付け構造によれば、コンデンサ５１がハウジング５２でなく、支持フレーム５５及び補強フレーム５３，５４に支持されてハウジング５２にその重量が付加されないようになっている。このため、ハウジング５２に過大な剛性を持たせる必要がないことから、当該ハウジング５２を樹脂成形品とすることによりその軽量かつコンパクト化を図ることができる。
また、第１実施形態における編み目の吸い込み口４５ａ及び吹き出し口４５ｂに代えて下向きに傾斜する多数のフィンを主体とするルーバー６３，６４を用いることにより、ハウジング５１の内部を目隠しして当該車両１の見栄えを向上させることができる。
【００１３】
以上説明した第１及び第２実施形態には、さらに次のような変更を加えることもできる。例えば、荷室冷却用の第１冷却装置２０のコンデンサ２１として、車両前部に設置されてベース車両では乗員室６の空調を行うためのコンデンサとして用いられるものを転用する一方、ベース車両に対して新たに追加した第２冷却装置４０のコンデンサ４１（５０）を側壁１５の開口部１５ａに取り付けて、このコンデンサ４１（５０）により乗員室６の空調を行う構成を例示したが、車両前部のコンデンサをベース車両のまま乗員室空調用の第２冷却装置のコンデンサとして用い、側壁１５に取り付けたコンデンサを荷室冷却用の第１冷却装置のコンデンサとして用いる構成としてもよい。
要は、「車両の側壁に開口部を設け、該開口部に、外側に開口する凹部を有するハウジングを取り付け、該ハウジングの凹部内に車室内を冷却する冷却装置のコンデンサを取り付けた車両のコンデンサ取り付け構造であって、前記開口部にはガラス板若しくは前記ハウジングのいずれをも取り付け可能で、前記ガラス板を取り付けることによりガラス窓として利用可能であり、前記ハウジングを前記ガラス板と同じシール構造を介して前記開口部に取り付けた構造」とすることにより、開口部がガラス窓として利用されるベース車両と、ガラス板に代えて開口部にコンデンサが取り付けられた特装車両（車両１）とで車両ボディを共通化することができる。
また、車両１の室内空間を仕切壁５で乗員室６と荷室７に区画し、それぞれ個別の第１及び第２冷却装置２０，４０（５０）により冷却若しくは空調を行う場合を例示したが、仕切壁５を排除して車両１の室内空間の全体を二組の冷却装置２０，４０（５０）で冷却（空調）する場合においても、例示した第２冷却装置４０のコンデンサ４１（５０）の取り付け構造を適用することができる。
さらに、当該車両１の室内空間全体の空調を一組の冷却装置により行う場合には、そのコンデンサをエンジンルーム内ではなく車両側部に例示した取り付け構造により取り付ける構成としてもよい。この場合には、車両側部に取り付けたコンデンサは、エンジンルーム内の熱影響及び車両床下の熱影響を受けることがないのでその放熱効率を高めて当該冷却装置の稼働効率を一層高めることができる。
【図面の簡単な説明】
【００１４】
【図１】本発明の第１実施形態に係るコンデンサの取り付け構造を備えたワンボックスタイプの貨物車両の右側面図である。
【図２】本発明の第１実施形態に係るコンデンサの取り付け構造を備えたワンボックスタイプの貨物車両の平面図である。
【図３】本発明の第１実施形態に係るコンデンサの取り付け構造を備えたワンボックスタイプの貨物車両の右側壁を車室内側から見た斜視図である。
【図４】本発明の第１実施形態に係るコンデンサの取り付け構造の分解斜視図である。
【図５】本発明の第１実施形態に係るコンデンサの取り付け構造の縦断面図である。
【図６】本発明の第１実施形態に係るコンデンサの取り付け構造の横断面図である。
【図７】本発明の第２実施形態に係るコンデンサの取り付け構造の分解斜視図である。
【符号の説明】
【００１５】
１…車両（ワンボックスタイプの貨物車両）
３…右側のスライドドア
５…仕切壁
６…乗員室
７…荷室
８…ドライ室（常温室）
９…冷蔵室
１０…冷凍室
１５…右側壁、１５ａ…開口部
１７…荷室フロア、１７ｂ…ホイールハウス
２０…第１冷却装置
２１…コンデンサ
４０…第２冷却装置（第１実施形態）
４１…コンデンサ
４２…ハウジング
４５…カバー、４５ａ…吸い込み口、４５ｂ…吹き出し口
４６…電動ファン
４９…コンプレッサ
５０…第２冷却装置（第２実施形態）
５１…コンデンサ
５２…ハウジング
５５…支持フレーム
６３，６４…ルーバー
【図１】
2007253796.tif 000003
【図２】
2007253796.tif 000004
【図３】
2007253796.tif 000005
【図４】
2007253796.tif 000006
【図５】
2007253796.tif 000007
【図６】
2007253796.tif 000008
【図７】
2007253796.tif 000009